(57)【要約】      （修正有）【課題】放熱効率を効果的に向上させ、光の減衰を低減することができ、照明器具の使用寿命を増加させる、照明器具放熱構造を提供する。【解決手段】本考案に係る照明器具放熱構造は、アウターハウジング１、インナーハウジング２及びランプボード３を含む。インナーハウジング２及びランプボード３は、アウターハウジング１の内部に設けられる。インナーハウジング２とアウターハウジング１との間は、熱伝導によって接続される。ランプボード３とインナーハウジング２との間は、熱伝導によって接続される。アウターハウジング１とインナーハウジング２との間には、対流空間１４が形成され、アウターハウジング１における、対流空間１４に対応する位置には、少なくとも１つの対流孔１５が設けられる。これにより、対流空間１４及び対流孔１５によって対流の効果が提供される。【選択図】図４
0003208580.tif 000002
【実用新案登録請求の範囲】
【請求項１】
第１端及び第２端を有し、内部には前記第１端と前記第２端との間に位置する収容空間が形成されている、アウターハウジングと、
前記アウターハウジングの前記収容空間の内部に設けられており、一端には前記アウターハウジングの第１端に近接する搭載部が形成されており、前記アウターハウジングとの間が熱伝導によって接続される、インナーハウジングと、
前記インナーハウジングの前記搭載部に設けられており、前記インナーハウジングの前記搭載部との間が熱伝導によって接続される、ランプボードと、
を含み、
前記アウターハウジングと前記インナーハウジングとの間には対流空間が形成されており、前記アウターハウジングにおける前記対流空間に対応する位置には少なくとも１つの対流孔が設けられており、前記対流空間及び前記少なくとも１つの対流孔によって対流を行う、
ことを特徴とする照明器具放熱構造。
【請求項２】
前記アウターハウジング及び前記インナーハウジングは、いずれもプレスにより成形された金属部材であることを特徴とする請求項１に記載の照明器具放熱構造。
【請求項３】
前記インナーハウジングにおいて、前記搭載部に近接する部分には離間部分が形成されており、前記離間部分の外壁と前記アウターハウジングの内壁との間に前記対流空間が形成されていることを特徴とする請求項１に記載の照明器具放熱構造。
【請求項４】
前記対流空間は、前記インナーハウジングの外壁と前記アウターハウジングの内壁との間に設けられており、前記インナーハウジングの外周を環状に囲繞しており、前記ランプボードに近接する、ことを特徴とする請求項１に記載の照明器具放熱構造。
【請求項５】
前記アウターハウジング及び前記インナーハウジングの接続部分において、対流空間に近接する位置には第１の防水構造が設けられており、
前記アウターハウジング及び前記ランプボードの接続部分において、前記対流空間に近接する位置には第２の防水構造が設けられており、
前記インナーハウジング及び前記ランプボードの接続部分において、前記対流空間に近接する位置には第３の防水構造が設けられている、
ことを特徴とする請求項１に記載の照明器具放熱構造。
【考案の詳細な説明】
【技術分野】
【０００１】
本考案は、放熱構造に関し、特に発光ダイオード等の照明器具に適用され、好ましい放熱効率を有する照明器具放熱構造に関する。
【背景技術】
【０００２】
発光ダイオード（ＬＥＤ）は、使用寿命が長く、消費電力が低く、且つ輝度が高いといった様々な利点を有しているため、様々な分野で幅広く使用されている。業界では、発光ダイオードを応用した照明器具の各種研究開発に力が入れられ、発光ダイオードの応用がより普及している。既存の発光ダイオード照明器具の多くは、放熱効率が好ましくない問題を有しており、照明器具において光の減衰が生じやすくなり、照明器具の使用寿命を短くする問題があった。更に、既存の発光ダイオード照明器具では、ハウジングが金属材料からなるものが多いため、重量が重く、製品の運送コストが増大する問題があった。
【考案の概要】
【考案が解決しようとする課題】
【０００３】
本考案は、放熱効率を効果的に向上させ、光の減衰を低減することができ、照明器具の使用寿命を増加させる、照明器具放熱構造を提供することを課題とする。
【０００４】
本考案は、また、厚さを薄くして、重量を低減する、照明器具放熱構造を提供することを課題とする。
【課題を解決するための手段】
【０００５】
上述した技術課題を解決するために、本考案に係る照明器具放熱構造は、第１端及び第２端を有し、内部には第１端と第２端との間に位置する収容空間が形成されている、アウターハウジングと、アウターハウジングの収容空間の内部に設けられており、一端にはアウターハウジングの第１端に近接する搭載部が形成されており、アウターハウジングとの間が熱伝導によって接続される、インナーハウジングと、インナーハウジングの搭載部に設けられており、インナーハウジングの搭載部との間が熱伝導によって接続される、ランプボードと、を含み、アウターハウジングとインナーハウジングとの間には対流空間が形成されており、アウターハウジングにおける、対流空間に対応する位置には少なくとも１つの対流孔が設けられており、対流空間及び少なくとも１つの対流孔によって対流を行う。
【０００６】
好ましくは、アウターハウジング及びインナーハウジングは、いずれもプレスにより成形された金属部材である。
【０００７】
好ましくは、インナーハウジングの外壁とアウターハウジングの内壁とが接触しており、又は、インナーハウジングの外壁とアウターハウジングの内壁との間に熱伝導ペーストが設けられている。
【０００８】
好ましくは、インナーハウジングにおいて、搭載部から遠ざかる部分には接触部分が形成されており、インナーハウジングの接触部分とアウターハウジングとが接触して熱伝導接続され、又は、インナーハウジングの接触部分とアウターハウジングとの間に熱伝導ペーストが設けられている。
【０００９】
好ましくは、ランプボードの一面とインナーハウジングの搭載部とが接触しており、又は、ランプボードの一面とインナーハウジングの搭載部との間に熱伝導ペーストが設けられている。
【００１０】
好ましくは、インナーハウジングにおいて、搭載部に近接する部分には離間部分が形成されており、離間部分の外壁とアウターハウジングの内壁との間に対流空間が形成されている。
【考案の効果】
【００１１】
本考案では、アウターハウジング及びインナーハウジングによる二層ハウジング構造としたことにより、ランプボードが放熱できるように、ランプボードに生じた高温をインナーハウジングからアウターハウジングに伝導させることができる。更に、対流空間及び対流孔によって対流の効果を奏することができるため、照明器具の放熱効率を向上させると共に、光の減衰を低減させ、照明器具の使用寿命を増加させることが可能である。
【００１２】
更に、アウターハウジング及びインナーハウジングは、プレスにより成形された金属部材であるため、厚さを薄くして、重量を低減することができる。
【図面の簡単な説明】
【００１３】
【図１】本考案に係る照明器具放熱構造を示す分解斜視図である。
【図２】本考案に係る照明器具放熱構造を示す組立斜視図である。
【図３】本考案に係る照明器具放熱構造を示す断面斜視図である。
【図４】本考案に係る照明器具放熱構造を示す断面図である。
【図５】本考案に係る照明器具放熱構造の使用状態を示す図である。
【考案を実施するための形態】
【００１４】
図１乃至図４に示すように、本考案に係る照明器具放熱構造は、アウターハウジング１、インナーハウジング２及びランプボード３を含む。好ましくは、本考案に係る照明器具放熱構造は、発光ダイオード照明器具に適用されるが、それに限定されない。
【００１５】
好ましくは、アウターハウジング１は、熱伝導性が良好な金属部材（例えばアルミニウム材）から成ると共に、プレスにより成形されることができるため、その厚さを薄くして、薄型化の要求を満たすことができる。アウターハウジング１は、中空のハウジングであり、１つの部材から成る構成としてもよく、２つ又は複数の部材からなる構成としてもよい。アウターハウジング１は、第１端１１及び第２端１２を有する。第１端１１及び第２端１２は、アウターハウジング１の対向する両端に位置する。第１端１１及び第２端１２は開口を呈している。アウターハウジング１の内部には収容空間１３が形成されている。収容空間１３は、第１端１１と第２端１２との間に位置する。収容空間１３の内部には、回路ユニット４を収容することができる。アウターハウジング１の形状は制限されない。本実施例において、アウターハウジング１は、径の異なる円柱状である。即ち、アウターハウジング１において、第１端１１に近接する部分の直径は大きく、第２端１２の方向に向かって漸次直径が小さくなる。
【００１６】
アウターハウジング１の第２端１２は、ソケット５が更に接続されてもよい。本実施例において、ソケット５の形式はＥ２７規格であるが、ソケット５の形式は制限されない。ソケット５及び回路ユニット４を介して所定の電力がランプボード３に伝送されるように、ソケット５は、回路ユニット４を介してランプボード３に電気的に接続される。ソケット５の構造は、既存の技術によるものである。本考案のソケット５はＥ２７規格に限定されず、例えばＭＲ１６規格等の他の形式であってもよいため、詳しい説明は省略する。
【００１７】
アウターハウジング１及びインナーハウジング２が二層ハウジング構造となるように、インナーハウジング２は、アウターハウジング１の収容空間１３の内部に設けられる。好ましくは、インナーハウジング２は、熱伝導性が良好な金属部材（例えばアルミニウム材）から成ると共に、プレスにより成形されることができるため、その厚さを薄くして、薄型化の要求を満たすことができる。アウターハウジング１及びインナーハウジング２は、熱伝導性の高い放熱樹脂等の他の材質から成ってもよく、プレス以外の各種既存の方式により成形されてもよい。インナーハウジング２は、中空のハウジングであり、１つの部材から成る構成としてもよく、２つ又は複数の部材からなる構成としてもよい。インナーハウジング２の一端には、搭載部２１が形成されている。搭載部２１は、アウターハウジング１の第１端１１に近接する。搭載部２１は、ランプボード３を搭載するのに用いることができる。回路ユニット４がインナーハウジング２の中に進入できるように、インナーハウジング２において、搭載部２１から遠ざかる一端は開口としてもよい。本実施例において、インナーハウジング２は、径の異なる円柱状である。即ち、インナーハウジング２の両端に近接する部分の直径は小さく、中間部分に向かって漸次直径が大きくなり、インナーハウジング２の中間部分の直径が最も大きくなる構成としているが、インナーハウジング２の形状はこれに限定されない。
【００１８】
インナーハウジング２とアウターハウジング１との間は、熱伝導によって接続される。即ち、インナーハウジング２とアウターハウジング１との間が熱伝導接続されるように、インナーハウジング２の外壁は、アウターハウジング１の内壁と接触することができる。更に、熱伝導効率を向上させるために、インナーハウジング２の外壁とアウターハウジング１の内壁との間には、熱伝導ペースト２３が設けられてもよい。本実施例において、インナーハウジング２において、搭載部２１から遠ざかる部分には接触部分２２が形成されており、インナーハウジング２の接触部分２２がアウターハウジング１と接触して熱伝導接続される。更に、インナーハウジング２の接触部分２２とアウターハウジング１との間には、熱伝導ペースト２３が設けられている。但し、当該熱伝導ペースト２３に代えて、既存の各種熱伝導構造を用いてもよい。
【００１９】
ランプボード３は、アウターハウジング１の内部に設けられる。ランプボード３は、インナーハウジング２の搭載部２１に設けられる。ランプボード３の数は制限されず、１つ、２つ又は複数設けられてもよい。ランプボード３は、回路基板３１及び複数の発光ダイオード３２を含む。複数の発光ダイオード３２は、回路基板３１に設けられる。発光ダイオード３２は回路基板３１と電気的に接続される。ランプボード３とインナーハウジング２との間は、熱伝導によって接続される。即ち、ランプボード３とインナーハウジング２との間が熱伝導接続されるように、ランプボード３の一面は、インナーハウジング２の搭載部２１と接触することができる。更に、熱伝導効率を向上させるために、ランプボード３の一面とインナーハウジング２の搭載部２１との間には、熱伝導ペースト３３が設けられてもよい。但し、当該熱伝導ペースト３３に代えて、既存の各種熱伝導構造を用いてもよい。複数の発光ダイオード３２及び回路基板３１によって生成された高温は、インナーハウジング２及びアウターハウジング１に伝導される。本考案の他の実施例において、ランプボード３の光源は、電球等の他の形式の光源であってもよい。
【００２０】
アウターハウジング１とインナーハウジング２との間には、対流空間１４が形成されている。本実施例において、インナーハウジング２において、搭載部２１から遠ざかる部分には、アウターハウジング１と接触して熱伝導接続されるための接触部分２２が形成されている。インナーハウジング２において、搭載部２１に近接する部分には離間部分２４が形成されている。離間部分２４の外壁とアウターハウジング１の内壁との間は接触しておらず、対流空間１４が形成されている。
【００２１】
インナーハウジング２の外壁とアウターハウジング１の内壁との間には、対流空間１４が形成されている。対流空間１４は、インナーハウジング２の外周を環状に囲繞する。好ましくは、対流空間１４は、ランプボード３に近接する。本実施例において、対流空間１４の断面は三角形であるが、対流空間１４の形状はこれに限定されず、例えば方形、台形又はその他の各種形状であってもよい。また、アウターハウジング１における、対流空間１４に対応する位置には、少なくとも１つの対流孔１５が設けられている。対流孔１５は、１つ、２つ又は複数設けられるが、その数は制限されない。本実施例においては、複数の対流孔１５が設けられている。複数の対流孔１５は、アウターハウジング１を取り巻くように間隔を置いて設けられる。複数の対流孔１５の形状は制限されず、例えば楕円形、円形、方形又はその他の各種形状であってもよい。対流孔１５は、各種形状の切欠きであってもよい。
【００２２】
アウターハウジング１の第１端１１には、ランプカバー６が更に設けられてもよい。ランプカバー６は、光透過性を有する材料から成る。ランプカバー６は、中空状の被覆体であり、ランプボード３に被覆され、ランプボード３を保護するのに用いられる。ランプカバー６の縁部は、係合接続、螺合接続又は接着などの方法によってアウターハウジング１の第１端１１に固定されることができる。ランプカバー６とアウターハウジング１の第１端１１との間には、防水効果を向上させるためのシール素子６１が設けられてもよい。発光ダイオード３２から発せられた光は、ランプカバー６を介して外部に照射される。
【００２３】
このように、アウターハウジング１及びインナーハウジング２による二層ハウジング構造としたことにより、ランプボード３が放熱できるように、ランプボード３に生じた高温をインナーハウジング２からアウターハウジング１に伝導させることができ、更に対流空間１４及び対流孔１５によって対流の効果を奏することができるため（図５参照）、照明器具の放熱効率を向上させると共に、光の減衰を低減させ、照明器具の使用寿命を増加させることが可能である。アウターハウジング１及びインナーハウジング２は、金属部材であり、プレスにより成形されるため、厚さを薄くして、重量を低減することができる。
【００２４】
また、アウターハウジング１、インナーハウジング２及びランプボード３の接続部分には、それぞれ防水処理を行うことができる。即ち、アウターハウジング１及びインナーハウジング２の接続部分において、対流空間１４に近接する位置には第１の防水構造１６が設けられる。アウターハウジング１及びランプボード３の接続部分において、対流空間１４に近接する位置には第２の防水構造１７が設けられる。インナーハウジング２及びランプボード３の接続部分において、対流空間１４に近接する位置には第３の防水構造１８が設けられる。これにより、外部の雨水が対流孔１５及び対流空間１４を介してランプボード３又は回路ユニット４等に進入するのを回避することができ、好ましい防水効果を奏することができる。第１の防水構造１６、第２の防水構造１７及び第３の防水構造１８は、耐水接着剤、Ｏリング又は各種既存の防水構造であってよい。
【００２５】
以上は、本考案の好ましい実施例に過ぎず、本考案の実用新案登録請求の範囲を制限するものではない。従って、本考案の明細書及び図面の内容を運用することでなされた等価の変更は、すべて本考案の範囲に含まれる。
【符号の説明】
【００２６】
１  アウターハウジング
１１  第１端
１２  第２端
１３  収容空間
１４  対流空間
１５  対流孔
１６  第１の防水構造
１７  第２の防水構造
１８  第３の防水構造
２  インナーハウジング
２１  搭載部
２２  接触部分
２３  熱伝導ペースト
２４  離間部分
３  ランプボード
３１  回路基板
３２  発光ダイオード
３３  熱伝導ペースト
４  回路ユニット
５  ソケット
６  ランプカバー
６１  シール素子
【図１】
0003208580.tif 000003
【図２】
0003208580.tif 000004
【図３】
0003208580.tif 000005
【図４】
0003208580.tif 000006
【図５】
0003208580.tif 000007